(57)【要約】  【課題】低トルクのねじ込み操作により、ねじ込み終了位置を確実に拘束できるねじキャップ付き容器を提供する。  【解決手段】容器１のネック部のねじ山１１の下方領域の外周面１５に、ねじ込み方向に徐々に上昇する傾斜面１６ａ及びその終端で外周面１５へ略直交方向に下降するストッパ面１６ｂを有するストッパ１６が、外周面１５に等角度間隔で突設されると共に、ねじキャップ２０のねじ山２１の下方領域の内周面２５に、傾斜面２６ａ及びその終端で内周面２５へ略直交方向に下降する被係止面２６ｂを有する被係止部２６が、内周面２５の円周方向へ等角度間隔で突設され、ストッパ１６及び被係止部２６の個数が互いに異なり、かつ互いの角度間隔が整数倍の関係を有することにより、ねじ込み終了領域において被係止部傾斜面２６ａがストッパ傾斜面１６ａを弾性変形を伴って滑動して被係止面２６ｂがストッパ面１６ｂに係止される。  【選択図】図１
2006306436.tif 000002
【特許請求の範囲】
【請求項１】
容器の頭部に突設されたネック部の外周に形成されたねじ山に、内容液を噴出するノズルを保持したねじキャップが、その内周面に形成されたねじ山によりねじ込まれるようになったねじキャップ付き容器において、
ネック部ねじ山の下方領域の外周面に、ねじ込み方向に徐々に上昇する傾斜面及びその終端で前記外周面へ略直交方向に下降するストッパ面を有するストッパが、前記外周面の円周方向へ等角度間隔で複数個突設されると共に、ねじキャップねじ山の下方領域の内周面に、反ねじ込み方向に徐々に上昇する傾斜面及びその終端で前記内周面へ略直交方向に下降する被係止面を有する被係止部が、前記内周面の円周方向へ等角度間隔で複数個突設され、
前記ストッパ及び前記被係止部の個数が互いに異なり、かつ互いの角度間隔が整数倍の関係を有することにより、ねじ込み終了領域において前記被係止部傾斜面が前記ストッパ傾斜面を弾性変形を伴って滑動して前記被係止面が前記ストッパ面に係止されることを特徴とするねじキャップ付き容器。
【請求項２】
ねじキャップが、ポンプを保持すると共に、そのシリンダから昇降可能に突出する噴出パイプの先端部にノズル付きヘッドが取付けられ、
被係止部の下方領域における前記ねじキャップ内周面の円周方向の四方に、突片が突設されると共に、前記被係止部の被係止面のストッパ面による係止状態で、前記突片の内周部が、ストッパの下方領域のネック部外周面に近接することを特徴とする請求項１記載のねじキャップ付き容器。
【発明の詳細な説明】
【技術分野】
【０００１】
本発明は、容器の頭部に突設されたネック部の外周に形成されたねじ山に、内容液を噴出するノズルを保持したねじキャップが、その内周面に形成されたねじ山によりねじ込まれるようになったねじキャップ付き容器に関するものである。
【背景技術】
【０００２】
この種のねじキャップのネック部に対するねじ込み終了位置のロック構造として、特許文献１によれば、ねじ山の下方領域のネック部の外周面及びねじキャップの内周面に、円周方向へローレットをそれぞれ形成したねじ式キャップ付き容器が開示されている。
【特許文献１】特開平０８−４０４４５号公報
【発明の開示】
【発明が解決しようとする課題】
【０００３】
このねじキャップのロック構造によれば、ねじ込み終了位置が互いのローレット同士の係合により円周方向全域で拘束されることにより、反ねじ込み方向に弛みが生じた場合でもその位置で再拘束され、また全周での拘束によりねじキャップの正立状態からの変形も回避される。しかしながら、このようなローレット式の場合、全周にわたり形状相補式に係合するために、係合状態を固くするとねじ込みトルクが過大になる問題がある。
【０００４】
本発明は、このような点に鑑みて、低トルクのねじ込み操作により、ねじ込み終了位置を確実に拘束できるねじキャップ付き容器を提供することを目的とする。
【課題を解決するための手段】
【０００５】
本発明は、この目的を達成するために、請求項１により、容器の頭部に突設されたネック部の外周に形成されたねじ山に、内容液を噴出するノズルを保持したねじキャップが、その内周面に形成されたねじ山によりねじ込まれるようになったねじキャップ付き容器において、ネック部ねじ山（１１）の下方領域の外周面（１５）に、ねじ込み方向に徐々に上昇する傾斜面（１６ａ）及びその終端で外周面（１５）へ略直交方向に下降するストッパ面（１６ｂ）を有するストッパ（１６）が、外周面（１５）の円周方向へ等角度間隔で複数個突設されると共に、ねじキャップねじ山（２１）の下方領域の内周面（２５）に、反ねじ込み方向に徐々に上昇する傾斜面（２６ａ）及びその終端で内周面（２５）へ略直交方向に下降する被係止面（２６ｂ）を有する被係止部（２６）が、内周面（２５）の円周方向へ等角度間隔で複数個突設され、ストッパ（１６）及び被係止部（２６）の個数が互いに異なり、かつ互いの角度間隔が整数倍の関係を有することにより、ねじ込み終了領域において被係止部傾斜面（２６ａ）がストッパ傾斜面（１６ａ）を弾性変形を伴って滑動して被係止面（２６ｂ）がストッパ面（１６ｂ）に係止されることを特徴とする。
【０００６】
ねじ込み終了領域で、被係止部（２６）の傾斜面をストッパ（１６）の傾斜面（２６ａ）に対して弾性変形を伴って滑動操作することにより、その乗り越えた位置で被係止面（２６ｂ）がストッパ面（１６ｂ）に係止されて反ねじ込み方向の回転が拘束される。この拘束は、ストッパ（１６）及び被係止部（２６）のうち個数の少ない方の複数個所で行われる。被係止部（２６）の拘束が解除されに場合、個数の多い方の回転角ピッチだけずれた反ねじ込み方向の回転位置で再拘束される。
【０００７】
ポンプ保持式のねじキャップについて、ねじ込み状態に起因するポンプに対する悪影響を回避するには、請求項２により、ねじキャップ（２０）が、ポンプを保持すると共に、そのシリンダ（３）から昇降可能に突出する噴出パイプ（６）の先端部にノズル（７）付きヘッド（８）が取付けられ、被係止部（２６）の下方領域におけるねじキャップ内周面（２７）の円周方向の四方に、突片（２８）が突設されると共に、被係止部（２６）の被係止面（２６ｂ）のストッパ面（１６ｂ）による係止状態で、突片（２８）の内周部（２８ａ）が、ストッパ（１６）の下方領域のネック部外周面（１７）に近接する。
【発明の効果】
【０００８】
請求項１の発明によれば、ねじキャップのねじ込み位置が、傾斜面同士の低トルクの係合過程を経て複数個所で反ねじ込み方向に直交する面同士の係合により確実に拘束される。ねじキャップが最終ねじ込み位置から反ねじ込み方向に緩んだ場合、個数の多い方の角度間隔だけずれた位置で改めて拘束される。請求項２の発明によれば、突片がネック部外周面に少なくとも四方で近接するために、ねじキャップの正立姿勢が確保され、内蔵のポンプへ異常な歪み荷重が加わるのが回避される。
【発明を実施するための最良の形態】
【０００９】
図１乃至図３を基に本発明の実施の形態によるねじキャップ付き容器ポンプを説明する。化粧・薬用等の液状もしくは乳液状等の内容液を充填された容器１の頭部には、ねじキャップ２０のねじ山２１がねじ込まれるように、外周面にねじ山１１が形成されたネック部１０が突設されている。この合成樹脂の一体成形によるねじキャップは、その内部でポンプのシリンダ３を保持すると共に、このシリンダから昇降可能にキャップ上部２９の上方へ突出するピストン式の噴出パイプ６の先端部に、ノズル７付きヘッド８が取付けられることによりスパウトを構成している。
【００１０】
これにより、ポンプの周知の動作原理に従って、ヘッド８をキャップ上部２９を通して押下げ操作することにより噴出パイプ６を押込んでシリンダ３の内圧を高めることにより、内容液をノズル７から噴出させると共に、その押下げ操作を解除した際に、ばね付勢により噴出パイプ６を押上げることにより、シリンダ３の内圧を負圧化してディップチューブ２を通して内容液を吸い上げるようになっている。
【００１１】
ネック部１０の上端から形成されるねじ山１１よりも下方領域の外周面１５には、ねじ込み方向に徐々に上昇する傾斜面１６ａ及びその終端で外周面１５へ略直交方向へ下降するストッパ面１６ｂを有する鋸歯状断面のストッパ１６が、円周方向に間欠的に９０°の等角度間隔で４個突設され、さらにその下方領域に平坦状の外周面１７が形成されている。
【００１２】
一方、ねじキャップ２０のキャップ上部２９の下方領域の内周面に形成されたねじ山２１に対してさらに下方領域の内周面２５には、反ねじ込み方向に徐々に上昇する傾斜面２６ａ及びその終端で内周面へ略直交方向へ下降する被係止面２６ｂを有する対応の鋸歯状断面の被係止部２６が、円周方向に間欠的に３０°の等角度間隔で１２個突設されている。さらに、その下方領域のさらに内径を大きくする内周面２７には、ネック部１０の外周面１７に近接状態で対面する断面方形状の突片２８が、円周方向に９０°間隔で４個突設されている。
【００１３】
外周面１５の外径はねじ山１１の外径と略一致し、外周面１７の外径及び内周面２５の内径はストッパ１６の最大外径に略一致している。これにより、内周面２５はねじ込み終了領域で間隔を置いて外周面１５に対面し、被係止部２６の傾斜面２６ａがストッパ１６の傾斜面１６ａに弾接して滑動し、その乗り越え位置でねじキャップ２０自体を含めた弾性変形の解除により被係止面２６がストッパ面１６ｂに係止される。ストッパ１６の個数は４個、被係止部が１２個で互いに異なり、かつ整数倍の個数関係を有することにより、３０°ピッチのいずれかの回転位置で４個所において拘束が行われる。
【００１４】
このような構成のネック部１０及びねじキャップ２０により、ネック部１０のねじ山１１に、ねじキャップ２０をそのねじ山２１をねじ込むと、内周面２５が下降して外周面１５に対面するねじ込み終了領域において、被係止部２６が３０°間隔で４個所のストッパ１６を弾性変形を伴って乗り越え、キャップ上部２９の下端周辺のパッキン２４がネック部１０の上端に圧接するねじ込み終了位置で、被係止面２６ｂがストッパ面１６ｂに係止されて、ねじキャップ２０の反ねじ込み方向の回転が拘束される。
【００１５】
これにより、弾性変形を伴う傾斜面同士の係合により過大なねじ込みトルクを要することなくロック可能となり、また４個所で係止されてねじ込みの弛みが確実に拘束される。ねじキャップ２０の下端領域で突片２８の内周部２８ａが、ネック部１０の外周面１７に接触もしくは接近することにより、ねじ込み状態でのねじキャップ２０の正立状態が高精度に確保され、したがって保持されたポンプに対して傾倒したねじ込み状態に起因する異常動作の発生が抑制される。ねじ込みトルクがストッパ１６の個数に対応して低く規定されると共に、ねじキャップ２０が、場合によりストッパ１６から離脱して反ねじ込み方向に回転すると、個数の多い被係止部２６の３０°ピッチだけ弛んだ位置で再度４個所で拘束される。
【００１６】
尚、前述の実施の形態において、被係止部２６に対して逆にストッパ１６の個数を増やしても同等の作用が得られ、またストッパ１６の個数を増減する等別の個数関係であっても良い。ねじキャップの下端内周面の突片の個数は、四方の４個よりも略等間隔で増やすことも考えられる。さらに、本発明は、前述のピストン操作により内容液を噴出させるポンプ式に限らず、容器を圧搾する圧搾式もしくはチューブ式により内容液を噴出するノズルを保持するねじキャップ付き容器にも適用される。
【図面の簡単な説明】
【００１７】
【図１】本発明の実施の形態によるねじキャップ付き容器のねじキャップを装着しない状態での斜視図である。
【図２】同ねじキャップ付き容器の部分的に破断した正面図である。
【図３】同ねじキャップ付き容器の要部を示すもので、同図Ａはそのねじキャップの底面側から見た被係止部の横断面図、同図Ｂはそのストッパ部分の横断面図である。
【符号の説明】
【００１８】
１  容器
３  ポンプのシリンダ
６  噴出パイプ
７  ノズル
８  ヘッド
１０  ネック部
１１，２１  ねじ山
１５，１７  外周面
１６  ストッパ
１６ａ，２６ａ  傾斜面
１６ｂ  ストッパ面
２０  ねじキャップ
２５，２７  内周面
２６  被係止部
２６ｂ  被係止面
２８  突片
【図１】
2006306436.tif 000003
【図２】
2006306436.tif 000004
【図３】
2006306436.tif 000005